(57)【要約】【課題】ユーザーが配置された画像を大きく変更することなく、所望の画像レイアウトを得ることができるレイアウト装置を提供する。【解決手段】レイアウト装置５は、規定レイアウトの基準位置からレイアウト枠までの相対距離に基づいて配置優先度決定計算方法で計算することにより、レイアウト枠の配置優先度を決定する優先度決定手段１５と、入力された画像を配置優先度に基づいてレイアウト枠に配置する画像配置手段３０と、レイアウト枠に配置された第１の画像が第２の画像と入れ替えられた履歴を学習するレイアウト変更履歴学習手段４０と、レイアウト変更履歴学習手段４０の学習結果に基づいて、レイアウト枠の重み付けパラメーターを変更する重み付け変更手段５０と、重み付けパラメーターに基づいて、配置優先度決定計算方法を規定する計算方法規定手段５５と、を備える。【選択図】図２
2011034477.tif 000002
【特許請求の範囲】
【請求項１】
レイアウト枠が規定された規定レイアウトの前記レイアウト枠に画像を配置するレイアウト装置であって、
前記規定レイアウトの基準位置から前記レイアウト枠までの相対距離に基づいて所定の計算方法で計算することにより、前記レイアウト枠の配置優先度を決定する優先度決定手段と、
入力された前記画像を前記配置優先度に基づいて前記レイアウト枠に配置する画像配置手段と、
前記レイアウト枠に配置された第１の前記画像が第２の前記画像と入れ替えられた履歴を学習するレイアウト変更履歴学習手段と、
前記レイアウト変更履歴学習手段の学習結果に基づいて、前記レイアウト枠の重み付けパラメーターを変更する重み付け変更手段と、
前記重み付けパラメーターに基づいて、前記所定の計算方法を規定する計算方法規定手段と、を備えることを特徴とするレイアウト装置。
【請求項２】
請求項１に記載のレイアウト装置において、
前記基準位置は、前記規定レイアウトの中心位置であることを特徴とするレイアウト装置。
【請求項３】
請求項１乃至２のいずれかに記載のレイアウト装置において、
前記計算方法規定手段が規定する前記所定の計算方法を、前記優先度決定手段が参照可能に記憶する記憶手段を備えることを特徴とするレイアウト装置。
【請求項４】
請求項１乃至３のいずれか１項に記載のレイアウト装置において、
前記計算方法規定手段は、前記所定の計算方法において、前記基準位置を変えるか、または、前記相対距離と前記配置優先度の関係式を変えることを特徴とするレイアウト装置。
【請求項５】
請求項１乃至４のいずれか１項に記載のレイアウト装置において、
前記優先度決定手段は、前記相対距離に加え、前記レイアウト枠の大きさに基づいて前記所定の計算方法で計算することにより、前記レイアウト枠の前記配置優先度を決定することを特徴とするレイアウト装置。
【請求項６】
請求項１乃至５のいずれか１項に記載のレイアウト装置において、
前記画像において人物が含まれる割合に基づいて前記画像の重要度を決定し、前記画像を前記重要度が高い順に前記画像配置手段に入力する重要度決定手段を備えることを特徴とするレイアウト装置。
【請求項７】
レイアウト枠が規定された規定レイアウトの前記レイアウト枠に画像を配置するレイアウト方法であって、
前記規定レイアウトの基準位置から前記レイアウト枠までの相対距離に基づいて所定の計算方法で計算することにより、前記レイアウト枠の配置優先度を決定する優先度決定工程と、
入力された前記画像を前記配置優先度に基づいて前記レイアウト枠に配置する画像配置工程と、
前記レイアウト枠に配置された第１の前記画像が第２の前記画像と入れ替えられた履歴を学習するレイアウト変更履歴学習工程と、
前記レイアウト変更履歴学習工程の学習結果に基づいて、前記レイアウト枠の重み付けパラメーターを変更する重み付け変更工程と、
前記重み付けパラメーターに基づいて、前記所定の計算方法を規定する計算方法規定工程と、を備えることを特徴とするレイアウト方法。
【発明の詳細な説明】
【技術分野】
【０００１】
本発明は、レイアウト装置およびレイアウト方法に関する。
【背景技術】
【０００２】
レイアウト枠が決められた規定レイアウトのテンプレートに所望の写真を流し込むことで電子写真アルバムやデザインフレーム等を作成する場合、下記特許文献１に示すように、撮影者の名前、記録時刻およびファイル名等でソートを行い、ソートした順序で写真を流し込むことで初期レイアウトを作成し、初期レイアウトに配置された写真をユーザーが並び替えることにより、所望のレイアウトを完成させることができる。
【先行技術文献】
【特許文献】
【０００３】
【特許文献１】特開２００２−２８８６６９号公報
【発明の概要】
【発明が解決しようとする課題】
【０００４】
しかしながら、初期レイアウトに配置された写真は、写真の属性データやテキスト情報に基づいてソートされているため、重要な写真が片隅の小さいレイアウト枠に配置されたり、瑣末な写真が中心部の大きいレイアウト枠に配置されたりした。従って、ユーザーは、初期レイアウトが得られる度に、自身の好みに合わせて写真の配置を大きく変える必要があり、多くの手間と時間を要した。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかるレイアウト装置は、レイアウト枠が規定された規定レイアウトの前記レイアウト枠に画像を配置するレイアウト装置であって、前記規定レイアウトの基準位置から前記レイアウト枠までの相対距離に基づいて所定の計算方法で計算することにより、前記レイアウト枠の配置優先度を決定する優先度決定手段と、入力された前記画像を前記配置優先度に基づいて前記レイアウト枠に配置する画像配置手段と、前記レイアウト枠に配置された第１の前記画像が第２の前記画像と入れ替えられた履歴を学習するレイアウト変更履歴学習手段と、前記レイアウト変更履歴学習手段の学習結果に基づいて、前記レイアウト枠の重み付けパラメーターを変更する重み付け変更手段と、前記重み付けパラメーターに基づいて、前記所定の計算方法を規定する計算方法規定手段と、を備えることを特徴とする。
【０００７】
このような構成によれば、規定レイアウトの基準位置からレイアウト枠までの相対距離に基づいて所定の計算方法で計算することにより、レイアウト枠の配置優先度を決定し、決定した配置優先度に基づいて、入力された画像が配置されるため、画像は配置優先度に応じて配置される。更に、所定の計算方法は配置された第１の画像が第２の画像と入れ替えられた履歴を学習し、学習した結果に基づいて重み付けパラメーターが変更され、変更された重み付けパラメーターに基づき所定の計算方法が規定される。従って、配置された画像が変更されるに従い、変更された履歴の学習結果に基づき計算方法が規定されるため、変更された配置に則した配置優先度で画像が配置されるようになることから、ユーザーは、配置された画像を大きく変更することなく、所望の画像レイアウトを得ることができる。
【０００８】
［適用例２］
上記適用例にかかるレイアウト装置において、前記基準位置は、前記規定レイアウトの中心位置であっても良い。
【０００９】
［適用例３］
上記適用例にかかるレイアウト装置において、前記計算方法規定手段が規定する前記所定の計算方法を、前記優先度決定手段が参照可能に記憶する記憶手段を備えることが好ましい。
【００１０】
このような構成によれば、計算方法規定手段が規定した所定の計算方法を記憶することができる。
【００１１】
［適用例４］
上記適用例にかかるレイアウト装置において、前記計算方法規定手段は、前記所定の計算方法において、前記基準位置を変えるか、または、前記相対距離と前記配置優先度の関係式を変えても良い。
【００１２】
［適用例５］
上記適用例にかかるレイアウト装置において、前記優先度決定手段は、前記相対距離に加え、前記レイアウト枠の大きさに基づいて前記所定の計算方法で計算することにより、前記レイアウト枠の前記配置優先度を決定しても良い。
【００１３】
［適用例６］
上記適用例にかかるレイアウト装置において、前記画像において人物が含まれる割合に基づいて前記画像の重要度を決定し、前記画像を前記重要度が高い順に前記画像配置手段に入力する重要度決定手段を備えることが好ましい。
【００１４】
このような構成によれば、画像において人物が含まれる割合に基づいて決定された重要度の順に、画像を配置優先度に基づいてレイアウト枠に配置できる。
【００１５】
［適用例７］
本適用例にかかるレイアウト方法は、レイアウト枠が規定された規定レイアウトの前記レイアウト枠に画像を配置するレイアウト方法であって、前記規定レイアウトの基準位置から前記レイアウト枠までの相対距離に基づいて所定の計算方法で計算することにより、前記レイアウト枠の配置優先度を決定する優先度決定工程と、入力された前記画像を前記配置優先度に基づいて前記レイアウト枠に配置する画像配置工程と、前記レイアウト枠に配置された第１の前記画像が第２の前記画像と入れ替えられた履歴を学習するレイアウト変更履歴学習工程と、前記レイアウト変更履歴学習工程の学習結果に基づいて、前記レイアウト枠の重み付けパラメーターを変更する重み付け変更工程と、前記重み付けパラメーターに基づいて、前記所定の計算方法を規定する計算方法規定工程と、を備えることを特徴とする。
【００１６】
このような方法によれば、規定レイアウトの基準位置からレイアウト枠までの相対距離に基づいて所定の計算方法で計算することにより、レイアウト枠の配置優先度を決定し、決定した配置優先度に基づいて、入力された画像が配置されるため、画像は配置優先度に応じて配置される。更に、所定の計算方法は配置された第１の画像が第２の画像と入れ替えられた履歴を学習し、学習した結果に基づいて重み付けパラメーターが変更され、変更された重み付けパラメーターに基づき所定の計算方法が規定される。従って、配置された画像が変更されるに従い、変更された履歴の学習結果に基づき計算方法が規定されるため、変更された配置に則した配置優先度で画像が配置されるようになることから、ユーザーは、配置された画像を大きく変更することなく、所望の画像レイアウトを得ることができる。
【図面の簡単な説明】
【００１７】
【図１】本発明の実施形態に係るレイアウト装置を含むコンピューターシステムの外観図。
【図２】本発明の実施形態に係るレイアウト装置の機能構成を示すブロック図。
【図３】（ａ）は、ユーザーにより選択された規定レイアウトの一例を示し、（ｂ）は、レイアウト枠の配置優先度の一例を示し、（ｃ）は、画像が入れ替えられた一例を示す図。
【図４】本発明の実施形態に係るレイアウト装置の処理の流れを示すフローチャート。
【図５】初期化処理の流れを示すフローチャート。
【図６】自動レイアウト処理の流れを示すフローチャート。
【図７】修正および学習処理の流れを示すフローチャート。
【発明を実施するための形態】
【００１８】
以下、レイアウト装置について図面を参照して説明する。
【００１９】
（実施形態）
図１は、コンピューターシステム１の一例を示す。このコンピューターシステム１は、パーソナルコンピューター７０と、プリンター８０を備える。パーソナルコンピューター７０は、レイアウト枠が規定された規定レイアウトのテンプレートに画像を流し込むことにより、レイアウト画像を作成するレイアウト装置５（図２）の一例であり、本体７２と、この本体７２からの出力に基づいてユーザーに対して表示をするディスプレー７４と、本体７２に対するユーザーからの入力手段の一例としてのキーボード７６及びマウス７８とを備える。また、パーソナルコンピューター７０は、図示は略すが、メモリーカードを接続可能な読取装置を備え、メモリーカードに書き込まれたデジタル画像のデータをパーソナルコンピューター７０に取り込めるように構成されている。更に、パーソナルコンピューター７０は、ＵＳＢやネットワーク等を介して印刷装置であるプリンター８０と接続され、レイアウト装置５で作成されたレイアウト画像をプリンター８０で印刷できるように構成されている。
【００２０】
図２は、レイアウト装置５の機能構成を示すブロック図である。このレイアウト装置５は、レイアウト選択手段１０、優先度決定手段１５、画像データ入力手段２０、重要度決定手段２５、画像配置手段３０、画像表示手段３５、レイアウト変更履歴学習手段４０、配置変更指示手段４５、重み付け変更手段５０、計算方法規定手段５５および記憶手段６０を備える。
レイアウト選択手段１０は、パーソナルコンピューター７０が記憶する規定レイアウトの中から、画像を割り付ける規定レイアウトをユーザーに選択させる。本実施形態では、選択可能な規定レイアウトの一覧を示すユーザーインターフェイス画面（図示は略す。）がディスプレー７４に表示され、ユーザーはキーボード７６やマウス７８を操作して一覧の中から所望の規定レイアウトを選択する。レイアウト選択手段１０で選択された規定レイアウトの情報は、優先度決定手段１５に送られる。尚、本実施形態では、ユーザーにより選択された規定レイアウトは、図３（ａ）に示すような配置であり、それぞれのレイアウト枠の大きさに合わせて、流し込まれた画像が拡縮されて割付される。
【００２１】
優先度決定手段１５は、レイアウト選択手段１０から送られる規定レイアウトの情報を取得し、設定された基準位置からレイアウト枠までの相対距離と、レイアウト枠の大きさとに基づいて、レイアウト枠の配置優先度を決定する。例えば、基準位置は、規定レイアウトに応じた用紙の中心位置が好ましく、図３（ａ）の規定レイアウトのレイアウト枠は、上述の基準に基づき、図３（ｂ）の各枠に示すように配置優先度が決定される。尚、配置優先度を決定する所定の計算方法（配置優先度決定計算方法）に関する情報は、動的に変更可能な情報であり、記憶手段６０に記憶されている。従って、優先度決定手段１５は、配置優先度を決定する場合、配置優先度決定計算方法に関する情報を取得し、取得した情報に基づいて配置優先度を計算して決定する。尚、レイアウト装置５を始めて起動したときのように、初期状態における配置優先度決定計算方法は、設計事項として予め決定され、記憶手段６０に記憶されている。このような配置優先度決定計算方法は、公知の方法を適用できる。優先度決定手段１５で決定されたレイアウト枠の配置優先度に関する情報は、画像配置手段３０に送られる。尚、レイアウト枠の配置優先度は、レイアウト枠までの相対距離およびレイアウト枠の大きさの何れか一方に基づいて決定しても良い。
【００２２】
画像データ入力手段２０は、規定レイアウトに配置される複数の画像のデータが入力される。本実施形態では、選択可能な画像の一覧を示すユーザーインターフェイス画面（図示は略す。）をディスプレー７４に表示し、ユーザーはキーボード７６やマウス７８を操作して所望の画像を選択することで入力される。画像データ入力手段２０に入力された複数の画像のデータは、重要度決定手段２５に送られる。
【００２３】
重要度決定手段２５は、画像データ入力手段２０から送られる複数の画像のデータを序列化する。本実施形態では、各画像に含まれる人物の占める割合を、相対化した顔領域のサイズに基づいて序列化する。重要度決定手段２５で序列化された画像のデータは、画像配置手段３０に送られる。尚、画像データの序列化は、重要度に基づく序列に限定されるものではなく、予めユーザーが序列化した画像データが画像データ入力手段２０に入力された場合は、重要度決定手段２５を介することなく、画像配置手段３０に直接送られても良い。
画像配置手段３０は、優先度決定手段１５が決定した配置優先度に基づいて、重要度決定手段２５が決定した重要度に基づく各画像を各レイアウト枠に配置する。本実施形態では、図３（ｂ）の「１」のレイアウト枠に重要度が最も高い画像が割り付けられ、以下、「２」，「３」，「４」・・・のレイアウト枠に、重要度が２番目，３番目、４番目・・が割り付けられる。従って、重要度が最も高いと判断された画像は、用紙の中心部に最も大きく配置される。画像配置手段３０によりレイアウト枠に画像が配置されたレイアウト画像は、ディスプレー７４のような画像表示手段３５に送られて表示される。
【００２４】
配置変更指示手段４５は、画像表示手段３５に表示されたレイアウト画像に対して、ユーザーがキーボード７６やマウス７８を操作して指示することで、レイアウト枠に配置された画像を入れ替えることにより、画像の配置を変更できる。例えば、図３（ｂ）に示すレイアウト枠が、「１」の第１の画像と、「４」の第２の画像と、を入れ替えた場合、図３（ｃ）に示すように画像が入れ替わる。このようにして配置変更指示手段４５により画像の配置が変更された情報は、レイアウト変更履歴学習手段４０に送られる。
レイアウト変更履歴学習手段４０は、配置変更指示手段４５により画像の配置が変更された情報に基づく学習機能を備える。レイアウト変更履歴学習手段４０により学習された情報は、重み付け変更手段５０に送られる。
重み付け変更手段５０は、レイアウト変更履歴学習手段４０から送られる学習された情報に基づき、優先度決定手段１５が配置優先度を決める際のレイアウト枠の重み付けパラメーターを変更する。このように、レイアウト変更履歴学習手段４０で得られた学習の結果は、重み付けパラメーターに反映され、重み付け変更手段５０で変更された重み付けパラメーターに関する情報は、計算方法規定手段５５に送られる。
【００２５】
計算方法規定手段５５は、重み付け変更手段５０から送られる重み付けパラメーターに関する情報に基づいて、配置優先度を決定する配置優先度決定計算方法を規定する。例えば、用紙の中心からレイアウト枠の所定位置までの相対距離を算出するにあたり、通常のレイアウト枠においては所定位置を枠の中心位置とし、特定のレイアウト枠においてはレイアウト枠の非中心位置とする。この結果、特定のレイアウト枠に関してのみ、相対距離が変わることで、配置優先度を変えることができる。また、相対距離から配置優先度を算出する関数を、１次元関数（直線）から多次元関数（曲線）に変更しても良い。計算方法規定手段５５で規定された配置優先度決定計算方法に関する情報は記憶手段６０に送られ、優先度決定手段１５が決定する配置優先度に反映される。
【００２６】
図４は、レイアウト装置５の処理の流れを示すフローチャートである。最初に、レイアウト装置５は初期化処理（ステップＳ１００）を実行し、選択された規定レイアウトの各レイアウト枠の配置優先度を決定する。続いて、レイアウト装置５は自動レイアウト処理（ステップＳ２００）を実行し、各レイアウト枠に画像を割り付ける。続いて、レイアウト装置５は修正および学習処理（ステップＳ３００）を実行し、レイアウト枠の画像を入れ替えると共に、入れ替えた情報を学習する。以降、それぞれの処理の詳細を説明する。
最初に、図５を参照して、初期化処理（ステップＳ１００）について説明する。この初期化処理は優先度決定工程であり、この処理が実行されると、規定レイアウトがユーザーにより選択される（ステップＳ１０５）。次に、レイアウト装置５は、選択された規定レイアウトにおいて、用紙の中心から各レイアウト枠の中心までの距離を測定する（ステップＳ１１０）。次に、レイアウト装置５は、測定した距離をそれぞれ正規化することで相対距離を取得する（ステップＳ１１５）。本実施形態では、中心から最も遠い距離を１００とし、最も近い距離を０として、距離の比率から算出する。
【００２７】
次に、レイアウト装置５は、各レイアウト枠のサイズを測定する（ステップＳ１２０）。続いて、レイアウト装置５は、測定したサイズをそれぞれ正規化する（ステップＳ１２５）。本実施形態では、測定したサイズの中で、最大のサイズを１００とし、最小のサイズを０として、サイズの比率から算出する。
次に、レイアウト装置５は、レイアウト枠毎に相対距離とサイズの合計値を算出し、これらを正規化する（ステップＳ１３０）。本実施形態では、合計値が０から１００の間に納まるように正規化する。続いて、レイアウト装置５は、正規化した各合計値を各レイアウト枠の配置優先度とし（ステップＳ１４０）、初期化処理（ステップＳ１００）を終了する。
【００２８】
次に、図６を参照して、自動レイアウト処理（ステップＳ２００）について説明する。自動レイアウト処理は画像配置工程であり、この処理が実行されると、規定レイアウトに配置する画像グループがユーザーにより選択される（ステップＳ２０５）。次に、レイアウト装置５は、画像グループの各画像に含まれる顔領域を抽出し、サイズを測定する（ステップＳ２１０）。
次に、レイアウト装置５は、測定した顔領域のサイズを正規化する（ステップＳ２１５）。本実施形態では、最大の顔領域のサイズを１００とし、最小の顔領域のサイズを０として、顔領域のサイズの比率から算出する。次に、レイアウト装置５は、正規化した顔領域のサイズを各画像の重要度とし（ステップＳ２２０）、重要度が高い画像を配置優先度が高いレイアウト枠に順次配置して（ステップＳ２２５）、自動レイアウト処理（ステップＳ２００）を終了する。
【００２９】
次に、図７を参照して、修正および学習処理（ステップＳ３００）について説明する。この処理では最初に、レイアウトされた画像がユーザーによって入れ替えられる（ステップＳ３０５）。次に、レイアウト装置５は、画像の配置がユーザーにより入れ替えられたか、否かを判定する（ステップＳ３１０）。ここで、画像が入れ替えられていないと判定された場合（ステップＳ３１０でＮｏ）、修正および学習処理（ステップＳ３００）を終了する。他方で、画像の配置が入れ替えられたと判定された場合（ステップＳ３１０でＹｅｓ）、レイアウト装置５は、１つのレイアウト枠において、入れ替え前の画像の重要度より上がったか、否かを判定する（ステップＳ３１５）。ここで、下がったと判定された場合（ステップＳ３１５でＮｏ）、レイアウト装置５は、レイアウト枠の配置優先度を下げる（ステップＳ３２０）。他方で、上がったと判定された場合（ステップＳ３１５でＹｅｓ）、レイアウト装置５は、レイアウト枠の配置優先度を上げる（ステップＳ３２５）。
【００３０】
次に、レイアウト装置５は、レイアウト枠の配置優先度を修正する（ステップＳ３３０）。続いて、レイアウト装置５は、修正履歴を学習し＜レイアウト変更履歴学習工程＞、配置優先度を算出する配置優先度決定計算方法に反映させる（ステップＳ３３５）。即ち、学習結果に基づいて、レイアウト枠の重み付けパラメーターを変更し＜重み付け変更工程＞、重み付けパラメーターに基づいて、配置優先度決定計算方法を規定する＜計算方法規定工程＞。以上の処理により、修正および学習処理（ステップＳ３００）を終了する。
【００３１】
以上述べた実施形態によれば、以下のような効果を奏する。
（１）ユーザーが規定レイアウトを選択し、対象とする画像を選択することで、選択した規定レイアウトにおいて配置優先度の高いフレーム枠に、重要度の高い画像が順次割り付けられる。
（２）ユーザーは、規定レイアウトに割り付けられた画像を任意に入れ替えることができ、レイアウト装置５は、ユーザーによる入れ替え動作を学習し、優先度決定方法に反映させることができる。これにより、レイアウト装置５は、ユーザーの嗜好に合わせたレイアウトを行うことができる。また、後日、ユーザーがレイアウト装置５を用いて画像のレイアウトを行う場合、レイアウト装置５は配置優先度を決定する配置優先度決定計算方法を記憶しているため、初期画面にはユーザーの嗜好に合致した画像が流し込まれて表示される。この結果、ユーザーは、配置された画像を大きく変更することなく、所望の画像レイアウトを得ることができる。
【００３２】
本発明の実施形態について、図面を参照して説明したが、具体的な構成は、この実施形態に限られるものではなく、本発明の要旨を逸脱しない範囲の設計変更等も含まれる。例えば、ユーザーがレイアウト装置５としてのパーソナルコンピューター７０を操作する様態には限定されない。例えば、レイアウト装置５が店頭に設置され、不特定多数のユーザーがデジタルカメラの画像データをレイアウト装置５に読み取らせ、レイアウト装置５を操作して、それぞれのユーザーが所望のレイアウト画像を印刷する様態でも良い。また、ユーザーがデジタルカメラの画像データを店舗に持参し、シャッフルプリントなどのテンプレートを用いた印刷を店舗側に依頼する様態でも良い。何れの場合も、レイアウト装置５は、多くのユーザーによる画像入れ替え履歴を学習することで、ユーザーの満足度が高い画像レイアウトを出力できる。
【符号の説明】
【００３３】
１…コンピューターシステム、５…レイアウト装置、１０…レイアウト選択手段、１５…優先度決定手段、２０…画像データ入力手段、２５…重要度決定手段、３０…画像配置手段、３５…画像表示手段、４０…レイアウト変更履歴学習手段、４５…配置変更指示手段、５０…重み付け変更手段、５５…計算方法規定手段、６０…記憶手段、７０…パーソナルコンピューター、７２…本体、７４…ディスプレー、７６…キーボード、７８…マウス、８０…プリンター。
【図１】
2011034477.tif 000003
【図２】
2011034477.tif 000004
【図３】
2011034477.tif 000005
【図４】
2011034477.tif 000006
【図５】
2011034477.tif 000007
【図６】
2011034477.tif 000008
【図７】
2011034477.tif 000009